(57)【要約】  偏波分離器（３−１）におけるセプタム位相板（６−１）の階段形状と、偏波分離器（３−２）におけるセプタム位相板（６−２）の階段形状との向きを逆向きにするとともに、偏波分離器（４−１）におけるセプタム位相板（９−１）の階段形状と、偏波分離器（４−２）におけるセプタム位相板（９−２）の階段形状との向きを逆向きにする。これにより、導波管ネットワーク（１３），（１４）では、同じ種類の偏波を合成することができるため、導波管ネットワーク（１３），（１４）をそれぞれ１層で構成することができる。
2017009925.tif 000002
【特許請求の範囲】
【請求項１】
偏波を入出力する第１から第３の入出力端子を有しており、前記第１の入出力端子から偏波が入力されると、前記偏波を分離して、前記第２及び第３の入出力端子から分離後の偏波をそれぞれ出力し、前記第２及び第３の入出力端子から偏波がそれぞれ入力されると、各偏波を合成して、前記第１の入出力端子から合成後の偏波を出力する第１及び第２の偏波分離器と、
前記第１の偏波分離器における第３の入出力端子及び前記第２の偏波分離器における第２の入出力端子と接続されている第１の導波管ネットワークと、
前記第１の偏波分離器における第２の入出力端子及び前記第２の偏波分離器における第３の入出力端子と接続されている第２の導波管ネットワークとを備え、
前記第１及び第２の偏波分離器が正方形導波管で構成されており、前記第１の入出力端子から離れるにしたがって幅が広がる階段形状のセプタム位相板によって前記正方形導波管の内部が仕切られることで、前記第２及び第３の入出力端子が形成され、前記第１の偏波分離器におけるセプタム位相板の階段形状と、前記第２の偏波分離器におけるセプタム位相板の階段形状との向きが逆向きであることを特徴とする給電回路。
【請求項２】
前記第１の偏波分離器における第３の入出力端子の長手方向と、前記第２の偏波分離器における第２の入出力端子の長手方向とが隣り合う位置に、前記第１及び第２の偏波分離器が配置されていることを特徴とする請求項１記載の給電回路。
【請求項３】
前記第１及び第２の偏波分離器の組が２つ設けられており、
第１組の前記第１の偏波分離器における第２及び第３の入出力端子の短手方向と、第２組の前記第１の偏波分離器における第２及び第３の入出力端子の短手方向とが隣り合う位置、第１組の前記第２の偏波分離器における第２及び第３の入出力端子の短手方向と、第２組の前記第２の偏波分離器における第２及び第３の入出力端子の短手方向とが隣り合う位置に、２つの組の前記第１及び第２の偏波分離器が配置されていることを特徴とする請求項２記載の給電回路。
【請求項４】
前記第１及び第２の偏波分離器における第１の入出力端子と接続される放射素子が偏波を受信する際には、
前記第１の導波管ネットワークは、第１組の前記第１の偏波分離器における第３の入出力端子から出力された偏波と第２組の前記第１の偏波分離器における第３の入出力端子から出力された偏波をＥ面Ｔ分岐で合成するとともに、第１組の前記第２の偏波分離器における第２の入出力端子から出力された偏波と第２組の前記第２の偏波分離器における第２の入出力端子から出力された偏波をＥ面Ｔ分岐で合成したのち、前記Ｅ面Ｔ分岐による２つの合成後の偏波を更にＥ面Ｔ分岐で合成して、合成後の偏波を出力し、
前記第２の導波管ネットワークは、第１組の前記第１の偏波分離器における第２の入出力端子から出力された偏波と第２組の前記第１の偏波分離器における第２の入出力端子から出力された偏波をＥ面Ｔ分岐で合成するとともに、第１組の前記第２の偏波分離器における第３の入出力端子から出力された偏波と第２組の前記第２の偏波分離器における第３の入出力端子から出力された偏波をＥ面Ｔ分岐で合成したのち、前記Ｅ面Ｔ分岐による２つの合成後の偏波を更にＥ面Ｔ分岐で合成して、合成後の偏波を出力することを特徴とする請求項３記載の給電回路。
【請求項５】
前記第１及び第２の偏波分離器における第１の入出力端子と接続される放射素子から偏波を送信する際には、
前記第１の導波管ネットワークは、偏波をＥ面Ｔ分岐で分岐したのち、分岐した一方の偏波を更にＥ面Ｔ分岐で分岐して、分岐後の各偏波を第１組の前記第１の偏波分離器における第３の入出力端子及び第２組の前記第１の偏波分離器における第３の入出力端子に出力するとともに、分岐した他方の偏波を更にＥ面Ｔ分岐で分岐して、分岐後の各偏波を第１組の前記第２の偏波分離器における第２の入出力端子及び第２組の前記第２の偏波分離器における第２の入出力端子に出力し、
前記第２の導波管ネットワークは、偏波をＥ面Ｔ分岐で分岐したのち、分岐した一方の偏波を更にＥ面Ｔ分岐で分岐して、分岐後の各偏波を第１組の前記第１の偏波分離器における第２の入出力端子及び第２組の前記第１の偏波分離器における第２の入出力端子に出力するとともに、分岐した他方の偏波を更にＥ面Ｔ分岐で分岐して、分岐後の各偏波を第１組の前記第２の偏波分離器における第３の入出力端子及び第２組の前記第２の偏波分離器における第３の入出力端子に出力することを特徴とする請求項３記載の給電回路。
【請求項６】
前記第１及び第２の偏波分離器における第１の入出力端子と接続される放射素子が偏波を受信する際には、
前記第１の導波管ネットワークは、第１組の前記第１の偏波分離器における第３の入出力端子から出力された偏波と第１組の前記第２の偏波分離器における第２の入出力端子から出力された偏波をＥ面Ｔ分岐で合成するとともに、第２組の前記第１の偏波分離器における第３の入出力端子から出力された偏波と第２組の前記第２の偏波分離器における第２の入出力端子から出力された偏波をＥ面Ｔ分岐で合成したのち、前記Ｅ面Ｔ分岐による２つの合成後の偏波を更にＥ面Ｔ分岐で合成して、合成後の偏波を出力し、
前記第２の導波管ネットワークは、第１組の前記第１の偏波分離器における第２の入出力端子から出力された偏波と第１組の前記第２の偏波分離器における第３の入出力端子から出力された偏波をＥ面Ｔ分岐で合成するとともに、第２組の前記第１の偏波分離器における第２の入出力端子から出力された偏波と第２組の前記第２の偏波分離器における第３の入出力端子から出力された偏波をＥ面Ｔ分岐で合成したのち、前記Ｅ面Ｔ分岐による２つの合成後の偏波を更にＥ面Ｔ分岐で合成して、合成後の偏波を出力することを特徴とする請求項３記載の給電回路。
【請求項７】
前記第１及び第２の偏波分離器における第１の入出力端子と接続される放射素子から偏波を送信する際には、
前記第１の導波管ネットワークは、偏波をＥ面Ｔ分岐で分岐したのち、分岐した一方の偏波を更にＥ面Ｔ分岐で分岐して、分岐後の各偏波を第１組の前記第１の偏波分離器における第３の入出力端子及び第１組の前記第２の偏波分離器における第２の入出力端子に出力するとともに、分岐した他方の偏波を更にＥ面Ｔ分岐で分岐して、分岐後の各偏波を第２組の前記第１の偏波分離器における第３の入出力端子及び第２組の前記第２の偏波分離器における第２の入出力端子に出力し、
前記第２の導波管ネットワークは、偏波をＥ面Ｔ分岐で分岐したのち、分岐した一方の偏波を更にＥ面Ｔ分岐で分岐して、分岐後の各偏波を第１組の前記第１の偏波分離器における第２の入出力端子及び第１組の前記第２の偏波分離器における第３の入出力端子に出力するとともに、分岐した他方の偏波を更にＥ面Ｔ分岐で分岐して、分岐後の各偏波を第２組の前記第１の偏波分離器における第２の入出力端子及び第２組の前記第２の偏波分離器における第３の入出力端子に出力することを特徴とする請求項３記載の給電回路。
【請求項８】
前記第１の偏波分離器における第３の入出力端子及び前記第２の偏波分離器における第２の入出力端子と前記第１の導波管ネットワークとが、偏波のＨ面を曲げる導波管とＥ面を曲げる導波管が接続されている第１のベンド部を介して接続され、
前記第１の偏波分離器における第２の入出力端子及び前記第２の偏波分離器における第３の入出力端子と前記第２の導波管ネットワークとが、偏波のＨ面を曲げる導波管とＥ面を曲げる導波管が接続されている第２のベンド部を介して接続されていることを特徴とする請求項１記載の給電回路。
【請求項９】
前記第２の導波管ネットワークは、前記第１の導波管ネットワークの下の層に配置されていることを特徴とする請求項１記載の給電回路。
【発明の詳細な説明】
【技術分野】
【０００１】
この発明は、複数の放射素子から構成されているアレーアンテナ向けの給電回路に関するものである。
【背景技術】
【０００２】
複数の放射素子から構成されているアレーアンテナ向けの給電回路として、放射素子から出力された偏波を分離する偏波分離器を複数備えるとともに、複数の偏波分離器により分離された各偏波を合成して、合成後の偏波を出力する導波管ネットワークを複数備えるものがある。
以下の特許文献１には、複数の偏波分離器と複数の導波管ネットワークとを備えるアレーアンテナ向けの給電回路が開示されている。
この給電回路では、１波長未満の間隔で複数の偏波分離器が配置され、複数の偏波分離器と、複数の導波管ネットワークとの間に、ツイストされた移相器が配置されている。
即ち、偏波分離器の出力端子は、ツイストされた移相器を介して、Ｈ面ベンドの一端と接続され、そのＨ面ベンドの他端は、Ｅ面Ｔ分岐からなる導波管給電ネットワークと接続されている。
【先行技術文献】
【特許文献】
【０００３】
【特許文献１】米国特許第７５６４４２１号Ｂ１
【発明の概要】
【発明が解決しようとする課題】
【０００４】
従来の給電回路は以上のように構成されているので、偏波分離器と導波管ネットワークの間に移相器が配置されている。しかし、移相器が配置されることで、給電回路における偏波の放射方向の厚さが厚くなってしまうという課題があった。【０００５】
この発明は上記のような課題を解決するためになされたもので、偏波の放射方向の厚さが薄い給電回路を得ることを目的とする。
【課題を解決するための手段】
【０００６】
この発明に係る給電回路は、偏波を入出力する第１から第３の入出力端子を有しており、第１の入出力端子から偏波が入力されると、その偏波を分離して、第２及び第３の入出力端子から分離後の偏波をそれぞれ出力し、第２及び第３の入出力端子から偏波がそれぞれ入力されると、各偏波を合成して、第１の入出力端子から合成後の偏波を出力する第１及び第２の偏波分離器と、第１の偏波分離器における第３の入出力端子及び第２の偏波分離器における第２の入出力端子と接続されている第１の導波管ネットワークと、第１の偏波分離器における第２の入出力端子及び第２の偏波分離器における第３の入出力端子と接続されている第２の導波管ネットワークとを備え、第１及び第２の偏波分離器が正方形導波管で構成されており、第１の入出力端子から離れるにしたがって幅が広がる階段形状のセプタム位相板によって正方形導波管の内部が仕切られることで、第２及び第３の入出力端子が形成され、第１の偏波分離器におけるセプタム位相板の階段形状と、第２の偏波分離器におけるセプタム位相板の階段形状との向きが逆向きであるようにしたものである。
【発明の効果】
【０００７】
この発明によれば、第１の偏波分離器における第３の入出力端子及び第２の偏波分離器における第２の入出力端子と接続されている第１の導波管ネットワークと、第１の偏波分離器における第２の入出力端子及び第２の偏波分離器における第３の入出力端子と接続されている第２の導波管ネットワークとを備え、第１及び第２の偏波分離器が正方形導波管で構成されており、第１の入出力端子から離れるにしたがって幅が広がる階段形状のセプタム位相板によって正方形導波管の内部が仕切られることで、第２及び第３の入出力端子が形成され、第１の偏波分離器におけるセプタム位相板の階段形状と、第２の偏波分離器におけるセプタム位相板の階段形状との向きが逆向きであるように構成したので、偏波の放射方向の厚さが薄い給電回路が得られる効果がある。
【図面の簡単な説明】
【０００８】
【図１】この発明の実施の形態１による給電回路を示す構成図である。
【図２】図１の給電回路に放射素子が接続されている状態を示す構成図である。
【図３】図１の給電回路を構成要素毎に分解している分解図である。
【図４】Ｈ／Ｅ面ベンド１１−１〜１１−４を模式的に表している構成図である。
【図５】Ｈ面ベンドとＥ面ベンドの組み合わせベンドを模式的に表している構成図である。
【図６】全てのセプタム位相板の階段形状の向きが同じである場合の給電回路を示す構成図である。
【図７】導波管の干渉箇所や不連続点を示す説明図である。
【図８】この発明の実施の形態２による給電回路を構成要素毎に分解している分解図である。
【発明を実施するための形態】
【０００９】
以下、この発明をより詳細に説明するために、この発明を実施するための形態について、添付の図面にしたがって説明する。
【００１０】
実施の形態１．
図１はこの発明の実施の形態１による給電回路を示す構成図であり、図２は図１の給電回路に放射素子が接続されている状態を示す構成図である。
また、図３は図１の給電回路を構成要素毎に分解している分解図である。
この実施の形態１では、４つの放射素子１−１，１−２，２−１，２−２から構成されているアレーアンテナ向けの給電回路の例を説明する。
【００１１】
図１から図３において、偏波分離器３−１は第１から第３の入出力端子を有しており、第１の入出力端子である入出力端子３−１ａが放射素子１−１と接続されている第１の偏波分離器である。
偏波分離器３−１は放射素子１−１が偏波を受信する際には、放射素子１−１から出力された偏波を分離して、第２の入出力端子である入出力端子３−１ｂから分離した一方の偏波を出力し、第３の入出力端子である入出力端子３−１ｃから分離した他方の偏波を出力する。
偏波分離器３−１は放射素子１−１が偏波を送信する際には、入出力端子３−１ｂから入力された偏波と入出力端子３−１ｃから入力された偏波とを合成し、入出力端子３−１ａから合成後の偏波を放射素子１−１に出力する。
【００１２】
偏波分離器３−２は第１から第３の入出力端子を有しており、第１の入出力端子である入出力端子３−２ａが放射素子１−２と接続されている第２の偏波分離器である。
偏波分離器３−２は放射素子１−２が偏波を受信する際には、放射素子１−２から出力された偏波を分離して、第２の入出力端子である入出力端子３−２ｂから分離した一方の偏波を出力し、第３の入出力端子である入出力端子３−２ｃから分離した他方の偏波を出力する。
偏波分離器３−２は放射素子１−２が偏波を送信する際には、入出力端子３−２ｂから入力された偏波と入出力端子３−２ｃから入力された偏波とを合成し、入出力端子３−２ａから合成後の偏波を放射素子１−２に出力する。
なお、偏波分離器３−１における入出力端子３−１ｃの長手方向と、偏波分離器３−２における入出力端子３−２ｂの長手方向とが隣り合う位置に、偏波分離器３−１と偏波分離器３−２が配置されている。
【００１３】
偏波分離器４−１は第１から第３の入出力端子を有しており、第１の入出力端子である入出力端子４−１ａが放射素子２−１と接続されている第１の偏波分離器である。ただし、図３では、偏波分離器４−１における第２の入出力端子である入出力端子４−１ｂと第３の入出力端子である４−１ｃは、偏波分離器３−２に隠れているため、図示されていない。
偏波分離器４−１は放射素子２−１が偏波を受信する際には、放射素子２−１から出力された偏波を分離して、入出力端子４−１ｂから分離した一方の偏波を出力し、入出力端子４−１ｃから分離した他方の偏波を出力する。
偏波分離器４−１は放射素子２−１が偏波を送信する際には、入出力端子４−１ｂから入力された偏波と入出力端子４−１ｃから入力された偏波とを合成し、入出力端子４−１ａから合成後の偏波を放射素子２−１に出力する。
【００１４】
偏波分離器４−２は第１から第３の入出力端子を有しており、第１の入出力端子である入出力端子４−２ａが放射素子２−２と接続されている第２の偏波分離器である。
偏波分離器４−２は放射素子２−２が偏波を受信する際には、放射素子２−２から出力された偏波を分離して、第２の入出力端子である入出力端子４−２ｂから分離した一方の偏波を出力し、第３の入出力端子である入出力端子４−２ｃから分離した他方の偏波を出力する。
偏波分離器４−２は放射素子２−２が偏波を送信する際には、入出力端子４−２ｂから入力された偏波と入出力端子４−２ｃから入力された偏波とを合成し、入出力端子４−２ａから合成後の偏波を放射素子２−２に出力する。
なお、偏波分離器４−１における入出力端子４−１ｃの長手方向と、偏波分離器４−２における入出力端子４−２ｂの長手方向とが隣り合う位置に、偏波分離器４−１と偏波分離器４−２が配置されている。
【００１５】
この実施の形態１では、偏波分離器３−１と偏波分離器３−２が組（第１組）をなしており、偏波分離器４−１と偏波分離器４−２が組（第２組）をなしている。
偏波分離器３−１における入出力端子３−１ｂ，３−１ｃの短手方向と、偏波分離器４−１における入出力端子４−１ｂ，４−１ｃの短手方向とが隣り合う位置に、偏波分離器３−１と偏波分離器４−１が配置されている。
また、偏波分離器３−２における入出力端子３−２ｂ，３−２ｃの短手方向と、偏波分離器４−２における入出力端子４−２ｂ，４−２ｃの短手方向とが隣り合う位置に、偏波分離器３−２と偏波分離器４−２が配置されている。
【００１６】
ここで、偏波分離器３−１は正方形導波管５−１で構成されており、入出力端子３−１ａから離れるにしたがって幅（階段の幅）が広がる階段形状のセプタム位相板６−１によって正方形導波管５−１の内部が仕切られることで、下端が入出力端子３−１ｂである長方形導波管７−１ａと、下端が入出力端子３−１ｃである長方形導波管７−１ｂとが形成されている。
偏波分離器３−２は正方形導波管５−２で構成されており、入出力端子３−２ａから離れるにしたがって幅が広がる階段形状のセプタム位相板６−２によって正方形導波管５−２の内部が仕切られることで、下端が入出力端子３−２ｂである長方形導波管７−２ａと、下端が入出力端子３−２ｃである長方形導波管７−２ｂとが形成されている。
ただし、偏波分離器３−１におけるセプタム位相板６−１の階段形状と、偏波分離器３−２におけるセプタム位相板６−２の階段形状との向きが逆向きである。
図１及び図３の例では、セプタム位相板６−１は図中左側に階段形状が形成されているが、セプタム位相板６−２は図中右側に階段形状が形成されている。
【００１７】
偏波分離器４−１は正方形導波管８−１で構成されており、入出力端子４−１ａから離れるにしたがって幅が広がる階段形状のセプタム位相板９−１によって正方形導波管８−１の内部が仕切られることで、下端が入出力端子４−１ｂである長方形導波管１０−１ａと、下端が入出力端子４−１ｃである長方形導波管１０−１ｂとが形成されている。
偏波分離器４−２は正方形導波管８−２で構成されており、入出力端子４−２ａから離れるにしたがって幅が広がる階段形状のセプタム位相板９−２によって正方形導波管８−２の内部が仕切られることで、下端が入出力端子４−２ｂである長方形導波管１０−２ａと、下端が入出力端子４−２ｃである長方形導波管１０−２ｂとが形成されている。
ただし、偏波分離器４−１におけるセプタム位相板９−１の階段形状と、偏波分離器４−２におけるセプタム位相板９−２の階段形状との向きが逆向きである。
図１及び図３の例では、セプタム位相板９−１は図中左側に階段形状が形成されているが、セプタム位相板９−２は図中右側に階段形状が形成されている。
【００１８】
Ｈ／Ｅ面ベンド１１−１〜１１−４は偏波のＨ面を曲げる導波管とＥ面を曲げる導波管が接続されている第１のベンド部である。
図４はＨ／Ｅ面ベンド１１−１〜１１−４を模式的に表している構成図である。
Ｈ／Ｅ面ベンド１１−１〜１１−４は、図４に示すように、２つの導波管１１ａ，１１ｂのＨ面とＥ面が直交する向きで、かつ、一方の導波管１１ａのＨ面内に、もう一方の導波管１１ｂの断面が重なるように接続されることで形成されている。図３と図４では、Ｈ／Ｅ面ベンド１１−１〜１１−４の形状が異なっているが、図４ではＨ／Ｅ面ベンド１１−１〜１１−４を模式的に表しているためであり、実際には同一の形状である。
また、Ｈ／Ｅ面ベンド１１−１〜１１−４は、図５に示すように、Ｈ面ベンド１１ｃの直後にＥ面ベンド１１ｄが接続されているＨ面ベンド１１ｃとＥ面ベンド１１ｄの組み合わせベンドであってもよい。
【００１９】
Ｈ／Ｅ面ベンド１１−１を構成している導波管１１ａの入出力端子（図中、導波管１１ａの上部の端面）が偏波分離器３−１の入出力端子３−１ｃと接続され、Ｈ／Ｅ面ベンド１１−２を構成している導波管１１ａの入出力端子が偏波分離器３−２の入出力端子３−２ｂと接続されている。
また、Ｈ／Ｅ面ベンド１１−３を構成している導波管１１ａの入出力端子が偏波分離器４−１の入出力端子４−１ｃと接続され、Ｈ／Ｅ面ベンド１１−４を構成している導波管１１ａの入出力端子が偏波分離器４−２の入出力端子４−２ｂと接続されている。
【００２０】
Ｈ／Ｅ面ベンド１２−１〜１２−４は偏波のＨ面を曲げる導波管とＥ面を曲げる導波管が接続されている第２のベンド部である。
Ｈ／Ｅ面ベンド１２−１〜１２−４の構造は、Ｈ／Ｅ面ベンド１１−１〜１１−４の構造と同様であり、２つの導波管１２ａ，１２ｂから構成されている。ただし、Ｈ／Ｅ面ベンド１２−１〜１２−４は、Ｈ／Ｅ面ベンド１１−１〜１１−４よりも、放射方向の長さが長くなっている。
なお、Ｈ／Ｅ面ベンド１２−１を構成している導波管１２ａの入出力端子（図中、導波管１２ａの上部の端面）が偏波分離器３−１の入出力端子３−１ｂと接続され、Ｈ／Ｅ面ベンド１２−２を構成している導波管１２ａの入出力端子が偏波分離器３−２の入出力端子３−２ｃと接続されている。
また、Ｈ／Ｅ面ベンド１２−３を構成している導波管１２ａの入出力端子が偏波分離器４−１の入出力端子４−１ｂと接続され、Ｈ／Ｅ面ベンド１２−４を構成している導波管１２ａの入出力端子が偏波分離器４−２の入出力端子４−２ｃと接続されている。
【００２１】
第１の導波管ネットワークである導波管ネットワーク１３は５つの入出力端子１３−１〜１３−５を有しており、入出力端子１３−１がＨ／Ｅ面ベンド１１−１を構成している導波管１１ｂと接続され、入出力端子１３−２がＨ／Ｅ面ベンド１１−２を構成している導波管１１ｂと接続されている。
また、入出力端子１３−３がＨ／Ｅ面ベンド１１−３を構成している導波管１１ｂと接続され、入出力端子１３−４がＨ／Ｅ面ベンド１１−４を構成している導波管１１ｂと接続されている。
【００２２】
導波管ネットワーク１３は、放射素子１−１，１−２，２−１，２−２が偏波を受信する際には、Ｈ／Ｅ面ベンド１１−１を構成している導波管１１ｂから出力された偏波と、Ｈ／Ｅ面ベンド１１−３を構成している導波管１１ｂから出力された偏波とをＥ面Ｔ分岐で合成するとともに、Ｈ／Ｅ面ベンド１１−２を構成している導波管１１ｂから出力された偏波と、Ｈ／Ｅ面ベンド１１−４を構成している導波管１１ｂから出力された偏波とをＥ面Ｔ分岐で合成したのち、Ｅ面Ｔ分岐による２つの合成後の偏波を更にＥ面Ｔ分岐で合成して、入出力端子１３−５から合成後の偏波を出力する。
導波管ネットワーク１３は、放射素子１−１，１−２，２−１，２−２が偏波を送信する際には、入出力端子１３−５から入力された偏波をＥ面Ｔ分岐で分岐したのち、分岐した一方の偏波を更にＥ面Ｔ分岐で分岐して、分岐後の各偏波をＨ／Ｅ面ベンド１１−１を構成している導波管１１ｂ及びＨ／Ｅ面ベンド１１−３を構成している導波管１１ｂに出力するとともに、分岐した他方の偏波を更にＥ面Ｔ分岐で分岐して、分岐後の各偏波をＨ／Ｅ面ベンド１１−２を構成している導波管１１ｂ及びＨ／Ｅ面ベンド１１−４を構成している導波管１１ｂに出力する。
【００２３】
第２の導波管ネットワークである導波管ネットワーク１４は導波管ネットワーク１３の下層に配置されており、５つの入出力端子１４−１〜１４−５を有している。導波管ネットワーク１４の入出力端子１４−１がＨ／Ｅ面ベンド１２−１を構成している導波管１２ｂと接続され、入出力端子１４−２がＨ／Ｅ面ベンド１２−２を構成している導波管１２ｂと接続されている。
また、入出力端子１４−３がＨ／Ｅ面ベンド１２−３を構成している導波管１２ｂと接続され、入出力端子１４−４がＨ／Ｅ面ベンド１２−４を構成している導波管１２ｂと接続されている。
【００２４】
導波管ネットワーク１４は、放射素子１−１，１−２，２−１，２−２が偏波を受信する際には、Ｈ／Ｅ面ベンド１２−１を構成している導波管１２ｂから出力された偏波と、Ｈ／Ｅ面ベンド１２−３を構成している導波管１２ｂから出力された偏波とをＥ面Ｔ分岐で合成するとともに、Ｈ／Ｅ面ベンド１２−２を構成している導波管１２ｂから出力された偏波と、Ｈ／Ｅ面ベンド１２−４を構成している導波管１２ｂから出力された偏波とをＥ面Ｔ分岐で合成したのち、Ｅ面Ｔ分岐による２つの合成後の偏波を更にＥ面Ｔ分岐で合成して、入出力端子１４−５から合成後の偏波を出力する。
導波管ネットワーク１４は、放射素子１−１，１−２，２−１，２−２が偏波を送信する際には、入出力端子１４−５から入力された偏波をＥ面Ｔ分岐で分岐したのち、分岐した一方の偏波を更にＥ面Ｔ分岐で分岐して、分岐後の各偏波をＨ／Ｅ面ベンド１２−１を構成している導波管１２ｂ及びＨ／Ｅ面ベンド１２−３を構成している導波管１２ｂに出力するとともに、分岐した他方の偏波を更にＥ面Ｔ分岐で分岐して、分岐後の各偏波をＨ／Ｅ面ベンド１２−２を構成している導波管１２ｂ及びＨ／Ｅ面ベンド１２−４を構成している導波管１２ｂに出力する。
【００２５】
次に動作について説明する。
最初に、放射素子１−１，１−２，２−１，２−２が偏波を受信する際の動作を説明する。
アレーアンテナを構成している放射素子１−１，１−２，２−１，２−２は、偏波として、例えば、円偏波を受信すると、その円偏波を偏波分離器３−１，３−２，４−１，４−２に出力する。
偏波分離器３−１，３−２，４−１，４−２は、放射素子１−１，１−２，２−１，２−２から円偏波を受けると、内部のセプタム位相板６−１，６−２，９−１，９−２の作用によって、その円偏波を分離して、分離後の各偏波（右旋円偏波、左旋円偏波）を出力する。
【００２６】
このとき、偏波分離器３−１，４−１におけるセプタム位相板６−１，９−１の階段形状と、偏波分離器３−２，４−２におけるセプタム位相板６−２，９−２の階段形状との向きが逆向きである。このため、偏波分離器３−１，４−１の入出力端子３−１ｂ，４−１ｂから出力される分離後の偏波が例えば左旋円偏波であり、偏波分離器３−１，４−１の入出力端子３−１ｃ，４−１ｃから出力される分離後の偏波が例えば右旋円偏波であるとすれば、偏波分離器３−２，４−２の入出力端子３−２ｂ，４−２ｂから出力される分離後の偏波が右旋円偏波となり、偏波分離器３−２，４−２の入出力端子３−２ｃ，４−２ｃから出力される分離後の偏波が左旋円偏波となる。
したがって、偏波分離器３−１，３−２，４−１，４−２の入出力端子３−１ｂ，３−２ｃ，４−１ｂ，４−２ｃから出力される分離後の偏波は、同じ種類の偏波となる。
また、偏波分離器３−１，３−２，４−１，４−２の入出力端子３−１ｃ，３−２ｂ，４−１ｃ，４−２ｂから出力される分離後の偏波は、同じ種類の偏波となる。
【００２７】
Ｈ／Ｅ面ベンド１１−１は、導波管１１ａが偏波分離器３−１の入出力端子３−１ｃから出力された偏波を受けると、その偏波のＨ面及びＥ面を曲げて、導波管１１ｂから当該偏波を導波管ネットワーク１３の入出力端子１３−１に出力する。
Ｈ／Ｅ面ベンド１１−２は、導波管１１ａが偏波分離器３−２の入出力端子３−２ｂから出力された偏波を受けると、その偏波のＨ面及びＥ面を曲げて、導波管１１ｂから当該偏波を導波管ネットワーク１３の入出力端子１３−２に出力する。
【００２８】
また、Ｈ／Ｅ面ベンド１１−３は、導波管１１ａが偏波分離器４−１の入出力端子４−１ｃから出力された偏波を受けると、その偏波のＨ面及びＥ面を曲げて、導波管１１ｂから当該偏波を導波管ネットワーク１３の入出力端子１３−３に出力する。
Ｈ／Ｅ面ベンド１１−４は、導波管１１ａが偏波分離器４−２の入出力端子４−２ｂから出力された偏波を受けると、その偏波のＨ面及びＥ面を曲げて、導波管１１ｂから当該偏波を導波管ネットワーク１３の入出力端子１３−４に出力する。
偏波分離器３−１，３−２，４−１，４−２の入出力端子３−１ｃ，３−２ｂ，４−１ｃ，４−２ｂから出力される分離後の偏波は同じ種類の偏波であるため、導波管ネットワーク１３の入出力端子１３−１〜１３−４に入力される偏波も同じ種類の偏波である。
【００２９】
Ｈ／Ｅ面ベンド１２−１は、導波管１２ａが偏波分離器３−１の入出力端子３−１ｂから出力された偏波を受けると、その偏波のＨ面及びＥ面を曲げて、導波管１２ｂから当該偏波を導波管ネットワーク１４の入出力端子１４−１に出力する。
Ｈ／Ｅ面ベンド１２−２は、導波管１２ａが偏波分離器３−２の入出力端子３−２ｃから出力された偏波を受けると、その偏波のＨ面及びＥ面を曲げて、導波管１２ｂから当該偏波を導波管ネットワーク１４の入出力端子１４−２に出力する。
【００３０】
また、Ｈ／Ｅ面ベンド１２−３は、導波管１２ａが偏波分離器４−１の入出力端子４−１ｂから出力された偏波を受けると、その偏波のＨ面及びＥ面を曲げて、導波管１２ｂから当該偏波を導波管ネットワーク１４の入出力端子１４−３に出力する。
Ｈ／Ｅ面ベンド１２−４は、導波管１２ａが偏波分離器４−２の入出力端子４−２ｃから出力された偏波を受けると、その偏波のＨ面及びＥ面を曲げて、導波管１２ｂから当該偏波を導波管ネットワーク１４の入出力端子１４−４に出力する。
偏波分離器３−１，３−２，４−１，４−２の入出力端子３−１ｂ，３−２ｃ，４−１ｂ，４−２ｃから出力される分離後の偏波は同じ種類の偏波であるため、導波管ネットワーク１４の入出力端子１４−１〜１４−４に入力される偏波も同じ種類の偏波である。
【００３１】
導波管ネットワーク１３は、入出力端子１３−１から入力された偏波と、入出力端子１３−３から入力された偏波とをＥ面Ｔ分岐で合成するとともに、入出力端子１３−２から入力された偏波と、入出力端子１３−４から入力された偏波とをＥ面Ｔ分岐で合成する。
また、導波管ネットワーク１３は、入出力端子１３−１から入力された偏波と入出力端子１３−３から入力された偏波との合成偏波と、入出力端子１３−２から入力された偏波と入出力端子１３−４から入力された偏波との合成偏波とを更にＥ面Ｔ分岐で合成して、入出力端子１３−５から合成後の偏波を出力する。
【００３２】
導波管ネットワーク１４は、入出力端子１４−１から入力された偏波と、入出力端子１４−３から入力された偏波とをＥ面Ｔ分岐で合成するとともに、入出力端子１４−２から入力された偏波と、入出力端子１４−４から入力された偏波とをＥ面Ｔ分岐で合成する。
また、導波管ネットワーク１４は、入出力端子１４−１から入力された偏波と入出力端子１４−３から入力された偏波との合成偏波と、入出力端子１４−２から入力された偏波と入出力端子１４−４から入力された偏波との合成偏波とを更にＥ面Ｔ分岐で合成して、入出力端子１４−５から合成後の偏波を出力する。
【００３３】
これにより、放射素子１−１，１−２，２−１，２−２から出力された円偏波をそれぞれ分離した後、分離した複数の右旋円偏波を合成した偏波と、分離した複数の左旋円偏波を合成した偏波とを出力することができる。
【００３４】
次に、放射素子１−１，１−２，２−１，２−２が偏波を送信する際の動作を説明する。
導波管ネットワーク１３は、入出力端子１３−５から偏波（例えば、左旋円偏波）が入力されると、その偏波をＥ面Ｔ分岐で分岐したのち、分岐した一方の偏波を更にＥ面Ｔ分岐で分岐する。そして、入出力端子１３−１，１３−３から分岐後の各偏波をＨ／Ｅ面ベンド１１−１を構成している導波管１１ｂ及びＨ／Ｅ面ベンド１１−３を構成している導波管１１ｂに出力する。
また、導波管ネットワーク１３は、入出力端子１３−５から入力された偏波をＥ面Ｔ分岐で分岐したのち、分岐した他方の偏波を更にＥ面Ｔ分岐で分岐する。そして、入出力端子１３−２，１３−４から分岐後の各偏波をＨ／Ｅ面ベンド１１−２を構成している導波管１１ｂ及びＨ／Ｅ面ベンド１１−４を構成している導波管１１ｂに出力する。
【００３５】
導波管ネットワーク１４は、入出力端子１４−５から偏波（例えば、右旋円偏波）が入力されると、その偏波をＥ面Ｔ分岐で分岐したのち、分岐した一方の偏波を更にＥ面Ｔ分岐で分岐する。そして、入出力端子１４−１，１４−３から分岐後の各偏波をＨ／Ｅ面ベンド１２−１を構成している導波管１２ｂ及びＨ／Ｅ面ベンド１２−３を構成している導波管１２ｂに出力する。
また、導波管ネットワーク１４は、入出力端子１４−５から入力された偏波をＥ面Ｔ分岐で分岐したのち、分岐した他方の偏波を更にＥ面Ｔ分岐で分岐する。そして、入出力端子１４−２，１４−４から分岐後の各偏波をＨ／Ｅ面ベンド１２−２を構成している導波管１２ｂ及びＨ／Ｅ面ベンド１２−４を構成している導波管１２ｂに出力する。
【００３６】
Ｈ／Ｅ面ベンド１１−１は、導波管１１ｂが導波管ネットワーク１３の入出力端子１３−１から出力された偏波を受けると、その偏波のＨ面及びＥ面を曲げて、導波管１１ａから当該偏波を偏波分離器３−１の入出力端子３−１ｃに出力する。
Ｈ／Ｅ面ベンド１１−２は、導波管１１ｂが導波管ネットワーク１３の入出力端子１３−２から出力された偏波を受けると、その偏波のＨ面及びＥ面を曲げて、導波管１１ａから当該偏波を偏波分離器３−２の入出力端子３−２ｂに出力する。
【００３７】
Ｈ／Ｅ面ベンド１１−３は、導波管１１ｂが導波管ネットワーク１３の入出力端子１３−３から出力された偏波を受けると、その偏波のＨ面及びＥ面を曲げて、導波管１１ａから当該偏波を偏波分離器４−１の入出力端子４−１ｃに出力する。
Ｈ／Ｅ面ベンド１１−４は、導波管１１ｂが導波管ネットワーク１３の入出力端子１３−４から出力された偏波を受けると、その偏波のＨ面及びＥ面を曲げて、導波管１１ａから当該偏波を偏波分離器４−２の入出力端子４−２ｂに出力する。
【００３８】
Ｈ／Ｅ面ベンド１２−１は、導波管１２ｂが導波管ネットワーク１４の入出力端子１４−１から出力された偏波を受けると、その偏波のＨ面及びＥ面を曲げて、導波管１２ａから当該偏波を偏波分離器３−１の入出力端子３−１ｂに出力する。
Ｈ／Ｅ面ベンド１２−２は、導波管１２ｂが導波管ネットワーク１４の入出力端子１４−２から出力された偏波を受けると、その偏波のＨ面及びＥ面を曲げて、導波管１２ａから当該偏波を偏波分離器３−２の入出力端子３−２ｃに出力する。
【００３９】
Ｈ／Ｅ面ベンド１２−３は、導波管１２ｂが導波管ネットワーク１４の入出力端子１４−３から出力された偏波を受けると、その偏波のＨ面及びＥ面を曲げて、導波管１２ａから当該偏波を偏波分離器４−１の入出力端子４−１ｂに出力する。
Ｈ／Ｅ面ベンド１２−４は、導波管１２ｂが導波管ネットワーク１４の入出力端子１４−４から出力された偏波を受けると、その偏波のＨ面及びＥ面を曲げて、導波管１２ａから当該偏波を偏波分離器４−２の入出力端子４−２ｃに出力する。
【００４０】
偏波分離器３−１は、Ｈ／Ｅ面ベンド１１−１の導波管１１ａより出力された偏波（例えば、左旋円偏波）が入出力端子３−１ｃから入力され、Ｈ／Ｅ面ベンド１２−１の導波管１２ａより出力された偏波（例えば、右旋円偏波）が入出力端子３−１ｂから入力されると、それらの偏波を合成し、入出力端子３−１ａから合成後の偏波を放射素子１−１に出力する。
偏波分離器３−２は、Ｈ／Ｅ面ベンド１１−２の導波管１１ａより出力された偏波（例えば、左旋円偏波）が入出力端子３−２ｂから入力され、Ｈ／Ｅ面ベンド１２−２の導波管１２ａより出力された偏波（例えば、右旋円偏波）が入出力端子３−２ｃから入力されると、それらの偏波を合成し、入出力端子３−２ａから合成後の偏波を放射素子１−２に出力する。
【００４１】
偏波分離器４−１は、Ｈ／Ｅ面ベンド１１−３の導波管１１ａより出力された偏波（例えば、左旋円偏波）が入出力端子４−１ｃから入力され、Ｈ／Ｅ面ベンド１２−３の導波管１２ａより出力された偏波（例えば、右旋円偏波）が入出力端子４−１ｂから入力されると、それらの偏波を合成し、入出力端子４−１ａから合成後の偏波を放射素子２−１に出力する。
偏波分離器４−２は、Ｈ／Ｅ面ベンド１１−４の導波管１１ａより出力された偏波（例えば、左旋円偏波）が入出力端子４−２ｂから入力され、Ｈ／Ｅ面ベンド１２−４の導波管１２ａより出力された偏波（例えば、右旋円偏波）が入出力端子４−２ｃから入力されると、それらの偏波を合成し、入出力端子４−２ａから合成後の偏波を放射素子２−２に出力する。
【００４２】
これにより、偏波分離器３−１，３−２，４−１，４−２が右旋円偏波と左旋円偏波を合成して、放射素子１−１，１−２，２−１，２−２から合成後の円偏波を送信することができる。
【００４３】
この実施の形態１では、偏波分離器３−１，４−１におけるセプタム位相板６−１，９−１の階段形状と、偏波分離器３−２，４−２におけるセプタム位相板６−２，９−２の階段形状との向きを逆向きにすることで、偏波を受信する際には、隣り合う位置で対向している偏波分離器３−１，３−２，４−１，４−２の入出力端子３−１ｃ，３−２ｂ，４−１ｃ，４−２ｂから出力される分離後の偏波が同じ種類の偏波（例えば、右旋円偏波）になっている。
また、離れて配置されている偏波分離器３−１，３−２，４−１，４−２の入出力端子３−１ｂ，３−２ｃ，４−１ｂ，４−２ｃから出力される分離後の偏波が同じ種類の偏波（例えば、左旋円偏波）になっている。
【００４４】
一方、偏波を送信する際には、隣り合う位置で対向している偏波分離器３−１，３−２，４−１，４−２の入出力端子３−１ｃ，３−２ｂ，４−１ｃ，４−２ｂに入力される偏波が同じ種類の偏波（例えば、左旋円偏波）になっている。
また、離れて配置されている偏波分離器３−１，３−２，４−１，４−２の入出力端子３−１ｂ，３−２ｃ，４−１ｂ，４−２ｃに入力される偏波が同じ種類の偏波（例えば、右旋円偏波）になっている。
【００４５】
このため、偏波を受信する際、導波管ネットワーク１３，１４では、同じ種類の偏波を合成すればよいため、導波管ネットワーク１３，１４のそれぞれを１層で構成することができる。
一方、偏波を送信する際、導波管ネットワーク１３，１４では、同じ種類の偏波を分岐して出力すればよいため、導波管ネットワーク１３，１４のそれぞれを１層で構成することができる。
したがって、この実施の形態１よれば、給電回路の放射方向の厚さを薄くすることができる効果を奏する。
なお、この実施の形態１よれば、特許文献１のように、ツイストされた移相器などを配置する必要がない。
【００４６】
この実施の形態１では、第１組の偏波分離器３−１，３−２と、第２組の偏波分離器４−１，４−２とが配置されているものを示したが、３組以上の偏波分離器が配置されているものであってもよい。
例えば、３組以上の偏波分離器を配置する場合でも、導波管ネットワーク１３，１４が、それぞれ同じ種類の偏波を合成するように構成すれば、導波管ネットワーク１３，１４のそれぞれを１層で構成することができるため、給電回路の放射方向の厚さを薄くすることができる。
【００４７】
この実施の形態１では、偏波分離器３−１，４−１におけるセプタム位相板６−１，９−１の階段形状と、偏波分離器３−２，４−２におけるセプタム位相板６−２，９−２の階段形状との向きを逆向きにしているが、図６の給電回路では、偏波分離器３−１，４−１におけるセプタム位相板６−３，９−３の階段形状と、偏波分離器３−２，４−２におけるセプタム位相板６−４，９−４の階段形状との向きを全て同じにしている。図６において、Ｈ／Ｅ面ベンド１１−２’，１１−４’，１２−２’，１２−４’は、図１のＨ／Ｅ面ベンド１１−２，１１−４，１２−２，１２−４に相当するものであるが、セプタム位相板６−３，６−４，９−３，９−４の階段形状の向きが全て同じであるため、導波管の形状が異なっている。
この場合においても、導波管ネットワーク１３，１４のそれぞれが同じ種類の偏波を合成するように構成すると、図７に示すように、例えば、導波管ネットワーク１３とＨ／Ｅ面ベンド１１−２’の間で干渉する箇所が発生する。また、導波管ネットワーク１３，１４では不連続点が増加する。不連続点の増加は、反射量の増加の原因となる。
この実施の形態１では、偏波分離器３−１，４−１におけるセプタム位相板６−１，９−１の階段形状と、偏波分離器３−２，４−２におけるセプタム位相板６−２，９−２の階段形状との向きを逆向きにしているため、導波管の間で干渉する箇所が発生しない。また、導波管ネットワーク１３，１４では不連続点が増加しない。
【００４８】
実施の形態２．
図８はこの発明の実施の形態２による給電回路を構成要素毎に分解している分解図であり、図８において、図３と同一符号は同一または相当部分を示すので説明を省略する。
上記実施の形態１の給電回路と比較して、第１及び第２の導波管ネットワークの構造だけが相違している。
【００４９】
第１の導波管ネットワークである導波管ネットワーク１５は５つの入出力端子１５−１〜１５−５を有しており、入出力端子１５−１がＨ／Ｅ面ベンド１１−１を構成している導波管１１ｂと接続され、入出力端子１５−２がＨ／Ｅ面ベンド１１−２を構成している導波管１１ｂと接続されている。
また、入出力端子１５−３がＨ／Ｅ面ベンド１１−３を構成している導波管１１ｂと接続され、入出力端子１５−４がＨ／Ｅ面ベンド１１−４を構成している導波管１１ｂと接続されている。
【００５０】
導波管ネットワーク１５は、放射素子１−１，１−２，２−１，２−２が偏波を受信する際には、Ｈ／Ｅ面ベンド１１−１を構成している導波管１１ｂから出力された偏波と、Ｈ／Ｅ面ベンド１１−２を構成している導波管１１ｂから出力された偏波とをＥ面Ｔ分岐で合成するとともに、Ｈ／Ｅ面ベンド１１−３を構成している導波管１１ｂから出力された偏波と、Ｈ／Ｅ面ベンド１１−４を構成している導波管１１ｂから出力された偏波とをＥ面Ｔ分岐で合成したのち、Ｅ面Ｔ分岐による２つの合成後の偏波を更にＥ面Ｔ分岐で合成して、入出力端子１５−５から合成後の偏波を出力する。
導波管ネットワーク１５は、放射素子１−１，１−２，２−１，２−２が偏波を送信する際には、入出力端子１５−５から入力された偏波をＥ面Ｔ分岐で分岐したのち、分岐した一方の偏波を更にＥ面Ｔ分岐で分岐して、分岐後の各偏波をＨ／Ｅ面ベンド１１−１を構成している導波管１１ｂ及びＨ／Ｅ面ベンド１１−２を構成している導波管１１ｂに出力するとともに、分岐した他方の偏波を更にＥ面Ｔ分岐で分岐して、分岐後の各偏波をＨ／Ｅ面ベンド１１−３を構成している導波管１１ｂ及びＨ／Ｅ面ベンド１１−４を構成している導波管１１ｂに出力する。
【００５１】
第２の導波管ネットワークである導波管ネットワーク１６は導波管ネットワーク１５の下層に配置されており、５つの入出力端子１６−１〜１６−５を有している。導波管ネットワーク１６の入出力端子１６−１がＨ／Ｅ面ベンド１２−１を構成している導波管１２ｂと接続され、入出力端子１６−２がＨ／Ｅ面ベンド１２−２を構成している導波管１２ｂと接続されている。
また、入出力端子１６−３がＨ／Ｅ面ベンド１２−３を構成している導波管１２ｂと接続され、入出力端子１６−４がＨ／Ｅ面ベンド１２−４を構成している導波管１２ｂと接続されている。
【００５２】
導波管ネットワーク１６は、放射素子１−１，１−２，２−１，２−２が偏波を受信する際には、Ｈ／Ｅ面ベンド１２−１を構成している導波管１２ｂから出力された偏波と、Ｈ／Ｅ面ベンド１２−２を構成している導波管１２ｂから出力された偏波とをＥ面Ｔ分岐で合成するとともに、Ｈ／Ｅ面ベンド１２−３を構成している導波管１２ｂから出力された偏波と、Ｈ／Ｅ面ベンド１２−４を構成している導波管１２ｂから出力された偏波とをＥ面Ｔ分岐で合成したのち、Ｅ面Ｔ分岐による２つの合成後の偏波を更にＥ面Ｔ分岐で合成して、入出力端子１６−５から合成後の偏波を出力する。
導波管ネットワーク１６は、放射素子１−１，１−２，２−１，２−２が偏波を送信する際には、入出力端子１６−５から入力された偏波をＥ面Ｔ分岐で分岐したのち、分岐した一方の偏波を更にＥ面Ｔ分岐で分岐して、分岐後の各偏波をＨ／Ｅ面ベンド１２−１を構成している導波管１２ｂ及びＨ／Ｅ面ベンド１２−２を構成している導波管１２ｂに出力するとともに、分岐した他方の偏波を更にＥ面Ｔ分岐で分岐して、分岐後の各偏波をＨ／Ｅ面ベンド１２−３を構成している導波管１２ｂ及びＨ／Ｅ面ベンド１２−４を構成している導波管１２ｂに出力する。
【００５３】
次に動作について説明する。
導波管ネットワーク１５，１６以外は、上記実施の形態１と同様であるため、ここでは、導波管ネットワーク１５，１６の動作だけを説明する。
最初に、放射素子１−１，１−２，２−１，２−２が偏波を受信する際の動作を説明する。
導波管ネットワーク１５の入出力端子１５−１〜１５−４には、Ｈ／Ｅ面ベンド１１−１〜１１−４の導波管１１ｂから出力される分離後の偏波が入力されるが、Ｈ／Ｅ面ベンド１１−１〜１１−４の導波管１１ｂから出力される分離後の偏波は、上記実施の形態１と同様に、同じ種類の偏波であるため、導波管ネットワーク１５の入出力端子１５−１〜１５−４に入力される偏波も同じ種類の偏波である。
【００５４】
また、導波管ネットワーク１６の入出力端子１６−１〜１６−４には、Ｈ／Ｅ面ベンド１２−１〜１２−４の導波管１２ｂから出力される分離後の偏波が入力されるが、Ｈ／Ｅ面ベンド１２−１〜１２−４の導波管１２ｂから出力される分離後の偏波は、上記実施の形態１と同様に、同じ種類の偏波であるため、導波管ネットワーク１６の入出力端子１６−１〜１６−４に入力される偏波も同じ種類の偏波である。
【００５５】
導波管ネットワーク１５は、入出力端子１５−１から入力された偏波と、入出力端子１５−２から入力された偏波とをＥ面Ｔ分岐で合成するとともに、入出力端子１５−３から入力された偏波と、入出力端子１５−４から入力された偏波とをＥ面Ｔ分岐で合成する。
また、導波管ネットワーク１５は、入出力端子１５−１から入力された偏波と入出力端子１５−２から入力された偏波との合成偏波と、入出力端子１５−３から入力された偏波と入出力端子１５−４から入力された偏波との合成偏波とを更にＥ面Ｔ分岐で合成して、入出力端子１５−５から合成後の偏波を出力する。
【００５６】
導波管ネットワーク１６は、入出力端子１６−１から入力された偏波と、入出力端子１６−２から入力された偏波とをＥ面Ｔ分岐で合成するとともに、入出力端子１６−３から入力された偏波と、入出力端子１６−４から入力された偏波とをＥ面Ｔ分岐で合成する。
また、導波管ネットワーク１６は、入出力端子１６−１から入力された偏波と入出力端子１６−２から入力された偏波との合成偏波と、入出力端子１６−３から入力された偏波と入出力端子１６−４から入力された偏波との合成偏波とを更にＥ面Ｔ分岐で合成して、入出力端子１６−５から合成後の偏波を出力する。
【００５７】
これにより、放射素子１−１，１−２，２−１，２−２から出力された円偏波をそれぞれ分離した後、分離した複数の右旋円偏波を合成した偏波と、分離した複数の左旋円偏波を合成した偏波とを出力することができる。
【００５８】
次に、放射素子１−１，１−２，２−１，２−２が偏波を送信する際の動作を説明する。
導波管ネットワーク１５は、入出力端子１５−５から偏波（例えば、左旋円偏波）が入力されると、その偏波をＥ面Ｔ分岐で分岐したのち、分岐した一方の偏波を更にＥ面Ｔ分岐で分岐する。そして、入出力端子１５−１，１５−２から分岐後の各偏波をＨ／Ｅ面ベンド１１−１を構成している導波管１１ｂ及びＨ／Ｅ面ベンド１１−２を構成している導波管１１ｂに出力する。
また、導波管ネットワーク１５は、入出力端子１５−５から入力された偏波をＥ面Ｔ分岐で分岐したのち、分岐した他方の偏波を更にＥ面Ｔ分岐で分岐する。そして、入出力端子１５−３，１５−４から分岐後の各偏波をＨ／Ｅ面ベンド１１−３を構成している導波管１１ｂ及びＨ／Ｅ面ベンド１１−４を構成している導波管１１ｂに出力する。
【００５９】
導波管ネットワーク１６は、入出力端子１６−５から偏波（例えば、右旋円偏波）が入力されると、その偏波をＥ面Ｔ分岐で分岐したのち、分岐した一方の偏波を更にＥ面Ｔ分岐で分岐する。そして、入出力端子１６−１，１６−２から分岐後の各偏波をＨ／Ｅ面ベンド１２−１を構成している導波管１２ｂ及びＨ／Ｅ面ベンド１２−２を構成している導波管１２ｂに出力する。
また、導波管ネットワーク１６は、入出力端子１６−５から入力された偏波をＥ面Ｔ分岐で分岐したのち、分岐した他方の偏波を更にＥ面Ｔ分岐で分岐する。そして、入出力端子１６−３，１６−４から分岐後の各偏波をＨ／Ｅ面ベンド１２−３を構成している導波管１２ｂ及びＨ／Ｅ面ベンド１２−４を構成している導波管１２ｂに出力する。
【００６０】
これにより、偏波分離器３−１，３−２，４−１，４−２が右旋円偏波と左旋円偏波を合成して、放射素子１−１，１−２，２−１，２−２から合成後の円偏波を送信することができる。
【００６１】
この実施の形態２では、偏波分離器３−１，４−１におけるセプタム位相板６−１，９−１の階段形状と、偏波分離器３−２，４−２におけるセプタム位相板６−２，９−２の階段形状との向きを逆向きにすることで、偏波を受信する際には、隣り合う位置で対向している偏波分離器３−１，３−２，４−１，４−２の入出力端子３−１ｃ，３−２ｂ，４−１ｃ，４−２ｂから出力される分離後の偏波が同じ種類の偏波（例えば、右旋円偏波）になっている。
また、離れて配置されている偏波分離器３−１，３−２，４−１，４−２の入出力端子３−１ｂ，３−２ｃ，４−１ｂ，４−２ｃから出力される分離後の偏波が同じ種類の偏波（例えば、左旋円偏波）になっている。
【００６２】
一方、偏波を送信する際には、隣り合う位置で対向している偏波分離器３−１，３−２，４−１，４−２の入出力端子３−１ｃ，３−２ｂ，４−１ｃ，４−２ｂに入力される偏波が同じ種類の偏波（例えば、左旋円偏波）になっている。
また、離れて配置されている偏波分離器３−１，３−２，４−１，４−２の入出力端子３−１ｂ，３−２ｃ，４−１ｂ，４−２ｃに入力される偏波が同じ種類の偏波（例えば、右旋円偏波）になっている。
【００６３】
このため、偏波を受信する際、導波管ネットワーク１５，１６では、同じ種類の偏波を合成すればよいため、導波管ネットワーク１５，１６のそれぞれを１層で構成することができる。
一方、偏波を送信する際、導波管ネットワーク１５，１６では、同じ種類の偏波を分岐して出力すればよいため、導波管ネットワーク１５，１６のそれぞれを１層で構成することができる。
したがって、この実施の形態２よれば、給電回路の放射方向の厚さを薄くすることができる効果を奏する。
なお、この実施の形態２よれば、特許文献１のように、ツイストされた移相器などを配置する必要がない。
【００６４】
この実施の形態２では、第１組の偏波分離器３−１，３−２と、第２組の偏波分離器４−１，４−２とが配置されているものを示したが、３組以上の偏波分離器が配置されているものであってもよい。
例えば、３組以上の偏波分離器を配置する場合でも、導波管ネットワーク１５，１６が、それぞれ同じ種類の偏波を合成するように構成すれば、導波管ネットワーク１５，１６のそれぞれを１層で構成することができるため、給電回路の放射方向の厚さを薄くすることができる。
【００６５】
なお、本願発明はその発明の範囲内において、各実施の形態の自由な組み合わせ、あるいは各実施の形態の任意の構成要素の変形、もしくは各実施の形態において任意の構成要素の省略が可能である。
【産業上の利用可能性】
【００６６】
この発明に係る給電回路は、薄型化、かつ、高密度化が求められるアレーアンテナ向けの給電に適している。
【符号の説明】
【００６７】
１−１，１−２，２−１，２−２  放射素子、３−１  偏波分離器（第１の偏波分離器）、３−１ａ  入出力端子（第１の入出力端子）、３−１ｂ  入出力端子（第２の入出力端子）、３−１ｃ  入出力端子（第３の入出力端子）、３−２  偏波分離器（第２の偏波分離器）、３−２ａ  入出力端子（第１の入出力端子）、３−２ｂ  入出力端子（第２の入出力端子）、３−２ｃ  入出力端子（第３の入出力端子）、４−１  偏波分離器（第１の偏波分離器）、４−１ａ  入出力端子（第１の入出力端子）、４−１ｂ  入出力端子（第２の入出力端子）、４−１ｃ  入出力端子（第３の入出力端子）、４−２  偏波分離器（第２の偏波分離器）、４−２ａ  入出力端子（第１の入出力端子）、４−２ｂ  入出力端子（第２の入出力端子）、４−２ｃ  入出力端子（第３の入出力端子）、５−１，５−２  正方形導波管、６−１，６−２  セプタム位相板、７−１ａ，７−１ｂ，７−２ａ，７−２ｂ  長方形導波管、８−１，８−２  正方形導波管、９−１，９−２  セプタム位相板、１０−１ａ，１０−１ｂ，１０−２ａ，１０−２ｂ  長方形導波管、１１−１〜１１−４  Ｈ／Ｅ面ベンド（第１のベンド部）、１１ａ，１１ｂ  導波管、１１ｃ  Ｈ面ベンド、１１ｄ  Ｅ面ベンド、１２−１〜１２−４  Ｈ／Ｅ面ベンド（第２のベンド部）、１２ａ，１２ｂ  導波管、１３  導波管ネットワーク（第１の導波管ネットワーク）、１３−１〜１３−５  入出力端子、１４  導波管ネットワーク（第２の導波管ネットワーク）、１４−１〜１４−５  入出力端子、１５  導波管ネットワーク（第１の導波管ネットワーク）、１５−１〜１５−５  入出力端子、１６  導波管ネットワーク（第２の導波管ネットワーク）、１６−１〜１６−５  入出力端子、６−３，６−４，９−３，９−４  セプタム位相板、１１−２’，１１−４’，１２−２’，１２−４’  Ｈ／Ｅ面ベンド。
【図１】
2017009925.tif 000003
【図２】
2017009925.tif 000004
【図３】
2017009925.tif 000005
【図４】
2017009925.tif 000006
【図５】
2017009925.tif 000007
【図６】
2017009925.tif 000008
【図７】
2017009925.tif 000009
【図８】
2017009925.tif 000010
【国際調査報告】
2017009925.tif 000011
2017009925.tif 000012
2017009925.tif 000013